(57)【要約】【課題】ズーム調整時の利便性を向上させることが可能なプロジェクタを提供する。【解決手段】画面サイズ表示機構３０は、レンズ操作口１３の後方（−Ｙ方向）、且つ光学部品用筐体１７０の上方（＋Ｚ方向）に配設されており、表示窓３１と、平板状の可動板３２と、可動板３２を前後左右方向（±Ｙ，±Ｘ方向）に移動させる可動板移動機構３３とを有して構成されている。可動板３２の上面（＋Ｚ側表面）には、画面サイズを表す複数の数値がマトリクス状に配列されて表記されており、可動板３２が筐体２に対して前後左右（±Ｙ方向、±Ｘ方向）に移動することにより、表示窓３１の直下に位置する数値が切り換わるようになっている。表示窓３１は、筐体２の上面２ｔに形成された開口部１４にレンズ３１ａが嵌め込まれた構成になっており、可動板３２に表記されている数値は、拡大した状態で表示窓３１から視認される。【選択図】図４
2009216854.tif 000002
【特許請求の範囲】
【請求項１】
光源装置と、
前記光源装置から射出された光を変調して画像を形成する光変調装置と、
ズーム状態を調整可能なズーム調整機構を有し、前記光変調装置で形成された前記画像を投写する投写光学系と、
前記ズーム状態を調整するためのズーム操作がなされるズーム操作部と、
装置本体を収容する筐体と、
前記ズーム操作と連動して前記筐体との相対位置が変化する可動部を有し、当該可動部の前記相対位置によって、前記ズーム状態に対応する画面サイズを報知する画面サイズ報知部と、
を備えたことを特徴とするプロジェクタ。
【請求項２】
請求項１に記載のプロジェクタであって、
前記可動部には、複数のズーム状態にそれぞれ対応する複数の画面サイズが所定の配列で表記されており、
前記画面サイズ報知部は、前記複数の画面サイズのうち現在のズーム状態に対応する画面サイズが前記筐体に対して所定の位置にくるように前記可動部の前記相対位置を変化させるとともに、当該所定の位置にある画面サイズを明示することを特徴とするプロジェクタ。
【請求項３】
請求項２に記載のプロジェクタであって、
投写距離を設定するための操作がなされる設定操作部をさらに備え、
前記可動部には、複数の投写距離にそれぞれ対応する複数組の画面サイズが所定の配列で表記されており、
前記画面サイズ報知部は、前記複数組の画面サイズのうち、前記設定操作部で設定された投写距離に対応する組の画面サイズが前記筐体に対して所定の位置にくるように、前記設定操作部になされる操作と連動して前記可動部の前記相対位置を変化させることを特徴とするプロジェクタ。
【請求項４】
請求項３に記載のプロジェクタであって、
前記可動部には、複数の画面サイズが複数の行及び複数の列を有するマトリクス状に配列されており、
前記画面サイズ報知部は、前記ズーム操作と連動して、前記可動部の前記相対位置を前記行及び前記列のいずれか一方の方向に変化させるとともに、前記設定操作部になされる操作と連動して、前記可動部の前記相対位置を他方の方向に変化させることを特徴とするプロジェクタ。
【請求項５】
請求項２〜４のいずれか１項に記載のプロジェクタであって、
前記画面サイズ報知部は、前記所定の位置に配設されたレンズを有し、当該レンズを通して前記画面サイズを拡大して表示することを特徴とするプロジェクタ。
【発明の詳細な説明】
【技術分野】
【０００１】
本発明は、画像を投写するプロジェクタに関する。
【背景技術】
【０００２】
画像を投写するプロジェクタにおいて、ズーム機構を備えたプロジェクタが知られている。ズーム機構を備えていれば、プロジェクタの設置位置を変更することなく、スクリーンのサイズ等に合わせて、投写される画像の大きさ（画面サイズ）を調整することが可能となる。特許文献１には、カメラによってスクリーンを検出し、画面サイズをスクリーンのサイズに一致させるべくズーム調整を自動的に行う画像投写方法が提案されている。この方法を用いれば、画面サイズの最適化を容易に行うことが可能となる。
【０００３】
【特許文献１】特開２００６−１２１２４０号公報
【発明の開示】
【発明が解決しようとする課題】
【０００４】
しかしながら、上記の画像投写方法を採用したプロジェクタであっても、画像の鑑賞環境（例えば、鑑賞する人数や鑑賞者とスクリーンまでの距離等）や画像の内容（コンテンツ）等に応じて画面サイズを変更したい場合には、所望の画面サイズとなるように、投写されている画像を見ながら手動でズーム調整を行う必要が生じてしまうため、利便性が損なわれてしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、光源装置と、前記光源装置から射出された光を変調して画像を形成する光変調装置と、ズーム状態を調整可能なズーム調整機構を有し、前記光変調装置で形成された前記画像を投写する投写光学系と、前記ズーム状態を調整するためのズーム操作がなされるズーム操作部と、装置本体を収容する筐体と、前記ズーム操作と連動して前記筐体との相対位置が変化する可動部を有し、当該可動部の前記相対位置によって、前記ズーム状態に対応する画面サイズを報知する画面サイズ報知部と、を備えたことを特徴とする。
【０００７】
このプロジェクタによれば、ズーム操作と連動して相対位置が変化する可動部を備え、画面サイズ報知部が、この可動部の相対位置によって、ズーム状態に対応する画面サイズを報知するため、ユーザは、画面サイズを確認しながらズーム調整を行うことが可能となり、ズーム調整時の利便性が向上する。
【０００８】
［適用例２］上記適用例に係るプロジェクタにおいて、前記可動部には、複数のズーム状態にそれぞれ対応する複数の画面サイズが所定の配列で表記されており、前記画面サイズ報知部は、前記複数の画面サイズのうち現在のズーム状態に対応する画面サイズが前記筐体に対して所定の位置にくるように前記可動部の前記相対位置を変化させるとともに、当該所定の位置にある画面サイズを明示することが望ましい。
【０００９】
このプロジェクタによれば、現在のズーム状態に応じた画面サイズが所定の位置に明示されるため、画面サイズを確認する際の視認性が向上する。
【００１０】
［適用例３］上記適用例に係るプロジェクタにおいて、投写距離を設定するための操作がなされる設定操作部をさらに備え、前記可動部には、複数の投写距離にそれぞれ対応する複数組の画面サイズが所定の配列で表記されており、前記画面サイズ報知部は、前記複数組の画面サイズのうち、前記設定操作部で設定された投写距離に対応する組の画面サイズが前記筐体に対して所定の位置にくるように、前記設定操作部になされる操作と連動して前記可動部の前記相対位置を変化させることが望ましい。
【００１１】
このプロジェクタによれば、投写距離を設定するための操作がなされる設定操作部をさらに備え、可動部には、複数の投写距離にそれぞれ対応する複数組の画面サイズが表記されている。そして、画面サイズ報知部は、設定操作部で設定された投写距離に対応する画面サイズを明示するため、様々な投写距離に応じた画面サイズを報知することが可能となり、ズーム調整時の利便性がさらに向上する。
【００１２】
［適用例４］上記適用例に係るプロジェクタにおいて、前記可動部には、複数の画面サイズが複数の行及び複数の列を有するマトリクス状に配列されており、前記画面サイズ報知部は、前記ズーム操作と連動して、前記可動部の前記相対位置を前記行及び前記列のいずれか一方の方向に変化させるとともに、前記設定操作部になされる操作と連動して、前記可動部の前記相対位置を他方の方向に変化させることが望ましい。
【００１３】
このプロジェクタによれば、画面サイズがマトリクス状に配列された可動部を有しており、この可動部の相対位置を行方向及び列方向に変化させる構成であるため、対応する画面サイズを所定の位置に位置させることを簡単な構成で実現することが可能となる。
【００１４】
［適用例５］上記適用例に係るプロジェクタにおいて、前記画面サイズ報知部は、前記所定の位置に配設されたレンズを有し、当該レンズを通して前記画面サイズを拡大して表示することが望ましい。
【００１５】
このプロジェクタによれば、所定の位置にある画面サイズがレンズを通して拡大して表示されるため、画面サイズを確認する際の利便性がさらに向上する。
【発明を実施するための最良の形態】
【００１６】
以下、実施形態に係るプロジェクタについて、図面を参照して説明する。プロジェクタは、光源から射出された光を、外部から入力される画像信号に応じて変調して画像を形成し、この画像を拡大投写してスクリーン等の投写面に表示する光学装置である。
【００１７】
図１は、本実施形態のプロジェクタを示す斜視図であり、図２は、その平面図である。なお、これ以降、プロジェクタから見て画像の投写方向である前方を＋Ｙ方向、画像の投写方向に向かって左方向を＋Ｘ方向、上方向を＋Ｚ方向とする。また、本明細書では、プロジェクタから投写されて投写面に表示される画像のことを「投写画像」とも呼ぶ。
【００１８】
図１及び図２に示すように、プロジェクタ１は、装置本体を収容する筐体２を備えて構成されている。筐体２の前面２ｆには、投写レンズ１６０の前面部を露出させるための開口部１０が形成されており、この投写レンズ１６０から前方（＋Ｙ方向）に向けて画像が投写される。また、筐体２の上面２ｔには、ユーザにより入力操作が行われる操作パネル１１と、光源装置１１０（図３参照）を交換するためのランプカバー１２が備えられている。さらに、筐体２の上面２ｔには、投写レンズ１６０の上方にレンズ操作口１３が開口しており、投写レンズ１６０に備わるフォーカスリング１６１やズームリング１６２のレバー１６１ａ，１６２ａがレンズ操作口１３から露出している。ユーザは、このレバー１６１ａ，１６２ａを操作して、フォーカスリング１６１やズームリング１６２を回動させることにより、フォーカス調整やズーム調整を行うことができる。レンズ操作口１３の後方（−Ｙ方向）には、投写画像の画面サイズが表示される表示窓３１が備えられ、その側方（＋Ｘ方向）には、投写面（スクリーン等）までの距離（以降、「投写距離」という。）を設定操作するための投写距離設定部４５が配置されている。なお、筐体２の背面（図示せず）には、外部の画像出力装置から画像信号を入力するための入力端子が配置されている。
【００１９】
上記の構成の他に、筐体２の内部には、投写すべき画像を形成する光学ユニット１００（図３参照）が備えられており、この光学ユニット１００で形成された画像が投写レンズ１６０から投写される。また、筐体２の内部において、光学ユニット１００や投写レンズ１６０の周囲には、プロジェクタ１の各種制御を司る制御基板、各部に電力を供給する電源ユニット、筐体２の内部を冷却するための冷却ユニット（いずれも図示せず）が配置されるとともに、上記の表示窓３１から画面サイズを表示するための画面サイズ表示機構３０（図４参照）が配置されている。
【００２０】
まず、光学ユニット１００について説明する。
図３は、光学ユニット１００の概略構成を示す構成図であり、光源装置１１０から射出された光が投写レンズ１６０に至るまでの光路を示している。
図３に示すように、光学ユニット１００は、光源装置１１０、インテグレータ光学系１２０、色光分離光学系１３０、リレー光学系１４０、画像形成装置１５０、及び光学部品用筐体１７０等を備えている。光学部品用筐体１７０は、上記の光学部品１２０〜１５０に加えて投写レンズ１６０の一部（上流側部位）を収納し、それぞれを所定の位置に固定するものであり、ねじ止め等によって筐体２に固定される。
【００２１】
光源装置１１０は、超高圧水銀ランプやメタルハライドランプ等からなる放電型の光源ランプ１１１と、放物面鏡や楕円面鏡等からなるリフレクタ１１２を備えて構成されている。光源ランプ１１１から射出された放射状の光束は、光源ランプ１１１を覆うように配置されたリフレクタ１１２で反射されて略平行光束となり、インテグレータ光学系１２０へと射出される。
【００２２】
インテグレータ光学系１２０は、第１のレンズアレイ１２１と、第２のレンズアレイ１２２と、偏光変換素子１２３と、重畳レンズ１２４とを備えて構成され、光源装置１１０から射出された光束の輝度分布を一様する機能を有している。第１のレンズアレイ１２１及び第２のレンズアレイ１２２は、それぞれ微小なレンズ１２１ａ，１２２ａがマトリクス状に配置された構成になっており、光源装置１１０から入射した光束は、第１のレンズアレイ１２１によって多数の微小な部分光束に分割される。第２のレンズアレイ１２２及び重畳レンズ１２４は、分割された部分光束のそれぞれが、照明対象である画像形成装置１５０（液晶パネル１５１）の全体に照射するように備えられている。このため、各部分光束が液晶パネル１５１で重畳され、液晶パネル１５１の全体がほぼ均一に照明される。
【００２３】
偏光変換素子１２３は、光源装置１１０からの光を液晶パネル１５１で効率よく利用可能とするため、特定の偏光方向を有する偏光光に揃える機能を有している。インテグレータ光学系１２０を射出した偏光光は、色光分離光学系１３０に入射する。
【００２４】
色光分離光学系１３０は、第１のダイクロイックミラー１３１と、第１の反射ミラー１３２と、第２のダイクロイックミラー１３３とを備えており、インテグレータ光学系１２０から射出された光を、波長域の異なる３色の光に分離する。第１のダイクロイックミラー１３１は、略赤色の光（赤色光Ｒ）を反射するとともに、赤色光Ｒよりも短波長の光を透過する。第１のダイクロイックミラー１３１で反射した赤色光Ｒは、第１の反射ミラー１３２でさらに反射し、平行化レンズ１２５で平行化されて画像形成装置１５０の赤色光用の液晶パネル１５１Ｒを照明する。
【００２５】
第２のダイクロイックミラー１３３は、略青色の光（青色光Ｂ）を透過するとともに、透過する光よりも長波長の光を反射する。このため、第１のダイクロイックミラー１３１を透過した光のうち、略緑色の光（緑色光Ｇ）は、第２のダイクロイックミラー１３３によって反射し、平行化レンズ１２５で平行化されて画像形成装置１５０の緑色光用の液晶パネル１５１Ｇを照明する。また、青色光Ｂは、第２のダイクロイックミラー１３３を透過してリレー光学系１４０に入射する。そして、リレー光学系１４０を経由した後、平行化レンズ１２５で平行化されて画像形成装置１５０の青色光用の液晶パネル１５１Ｂを照明する。
【００２６】
なお、青色光Ｂの経路は他の色光の経路に比べて長くなってしまうことから、青色光Ｂの経路には、光束の発散によって液晶パネル１５１への照明効率が低下するのを抑制するために、リレー光学系１４０が設けられている。リレー光学系１４０は、入射側レンズ１４１と、第２の反射ミラー１４２と、リレーレンズ１４３と、第３の反射ミラー１４４とを備えており、リレー光学系１４０に入射した青色光Ｂは、入射側レンズ１４１によってリレーレンズ１４３の近傍で収束し、平行化レンズ１２５に向けて発散する。
【００２７】
画像形成装置１５０は、光変調装置としての３つの液晶パネル１５１（赤色光用の液晶パネル１５１Ｒ、緑色光用の液晶パネル１５１Ｇ、青色光用の液晶パネル１５１Ｂ）と、各液晶パネル１５１の入射側及び射出側にそれぞれ配置された入射側偏光板１５２及び射出側偏光板１５３と、色合成光学系としてのクロスダイクロイックプリズム１５４とを備えて構成されている。
【００２８】
液晶パネル１５１は、一対の透明基板間に液晶が封入されたものであり、透明基板の内面には、液晶に対して微小領域（画素）毎に駆動電圧を印加可能な透明電極（画素電極）がマトリクス状に形成されている。入射側偏光板１５２及び射出側偏光板１５３は、それぞれ特定の偏光方向の偏光光のみを透過可能であり、入射側偏光板１５２は、偏光変換素子１２３によって揃えられた偏光方向の偏光光を透過可能となっている。このため、液晶パネル１５１に向けて照射された各色光の大部分は入射側偏光板１５２を透過して、液晶パネル１５１に入射する。
【００２９】
ここで、液晶パネル１５１の各画素に、画像信号に応じた駆動電圧が印加されると、液晶パネル１５１に入射した光は、駆動電圧に応じて変調され、画素毎に異なる偏光方向を有した偏光光となる。この偏光光のうち、射出側偏光板１５３を透過可能な偏光成分のみが射出側偏光板１５３から射出される。つまり、液晶パネル１５１及び射出側偏光板１５３が、画像信号に応じて画素毎に異なる透過率で入射光を透過させることによって、階調を有する画像光が色光毎に形成される。射出側偏光板１５３から射出した各色光からなる画像光は、クロスダイクロイックプリズム１５４に入射する。
【００３０】
クロスダイクロイックプリズム１５４は、射出側偏光板１５３からから射出された各色の画像光を、画素毎に合成してカラー画像を表す画像光を形成する。クロスダイクロイックプリズム１５４によって合成された画像光は、投写レンズ１６０によって外部に拡大投写される。
【００３１】
投写レンズ１６０は、光学ユニット１００で形成された画像を外部に投写する投写光学系に相当するものであり、筒状の鏡筒内に複数のレンズ群（図示せず）が収納されて構成されている。投写レンズ１６０は、フォーカス調整機構及びズーム調整機構を備えており、各レンズ群の光軸方向の相対位置を変更することによって、投写画像のフォーカス調整、及びズーム調整（倍率調整）が可能になっている。投写レンズ１６０の前方側（＋Ｙ側）端部の外周には、前方から順にフォーカスリング１６１及びズームリング１６２が備えられ、これらは光軸を略中心にして回動可能になっている。また、前述したように、フォーカスリング１６１及びズームリング１６２には、回動操作を行うためのレバー１６１ａ，１６２ａがそれぞれ設けられている。レバー１６１ａ，１６２ａは、筐体２の上面２ｔに設けられたレンズ操作口１３から露出しており、ユーザがレバー１６１ａを操作してフォーカスリング１６１を回動させることにより、フォーカス調整がなされ、レバー１６２ａを操作してズームリング１６２を回動させることにより、ズーム調整がなされる。
【００３２】
次に、画面サイズ表示機構３０について、図２に加えて、図４〜図８を用いて説明する。
図４及び図６〜図８は、筐体２の内部を示す部分断面図であり、各図において（ａ）は上方から見た図、（ｂ）は側方から見た図である。また、図５は、画面サイズ表示機構３０の一部を示す斜視図である。
図４（ａ）、（ｂ）に示すように、画面サイズ表示機構３０は、レンズ操作口１３の後方（−Ｙ方向）、且つ光学部品用筐体１７０の上方（＋Ｚ方向）に配設されており、表示窓３１と、平板状の可動板３２と、可動板３２を前後左右方向（±Ｙ，±Ｘ方向）に移動させる可動板移動機構３３とを有して構成されている。可動板３２の上面（＋Ｚ側表面）には、画面サイズを表す複数の数値がマトリクス状に配列されて表記されており、可動板３２が筐体２に対して前後左右（±Ｙ方向、±Ｘ方向）に移動することにより、表示窓３１の直下（−Ｚ側）に位置する数値が切り換わるようになっている。表示窓３１は、筐体２の上面２ｔに形成された開口部１４にレンズ３１ａが嵌め込まれた構成になっており、可動板３２に表記されている数値は、レンズ３１ａによって拡大した状態で表示窓３１から視認される。
【００３３】
可動板移動機構３３は、傘歯車４１と、平歯車４２と、スライド部４３と、スライド支持部４４と、投写距離設定部４５とを備えて構成されている。光学部品用筐体１７０の上面には、ズームリング１６２の後方側（−Ｙ側）の位置から斜め前方（＋Ｙ，＋Ｚ方向）に４５°傾いて突出する軸４６が設けられており、傘歯車４１は、この軸４６の周りを回動可能に取り付けられている。同じく光学部品用筐体１７０の上面には、軸４６の後方側（−Ｙ側）の位置から略鉛直上方（＋Ｚ方向）に突出する軸４７が設けられており、平歯車４２は、この軸４７の周りを回動可能に取り付けられている。ズームリング１６２の後方側（−Ｙ側）端部の外周面には、略上半分の領域に歯車１６２ｂが形成されており、傘歯車４１は、歯車１６２ｂと平歯車４２の双方に噛合している。このため、ズームリング１６２になされた回動は、傘歯車４１を介して平歯車４２に伝達する。
【００３４】
平歯車４２のさらに後方（−Ｙ方向）には、スライド部４３が配置されている。図４及び図５に示すように、スライド部４３は、左右方向（±Ｘ方向）に延在するスライド部本体４３ａと、スライド部本体４３ａから後方（−Ｙ方向）に延出する２本の支持棒４３ｂとを備えており、スライド部本体４３ａは、光学部品用筐体１７０の上面に固定されたスライド支持部４４によって支持されている。スライド支持部４４の上面には、左右方向（±Ｘ方向）に長い溝部４４ａが形成されており、スライド部本体４３ａの下側端部は、この溝部４４ａと摺動可能に嵌合している。また、スライド部本体４３ａの前面には、ラック４３ｃが形成されており、このラック４３ｃは、平歯車４２と噛合されている。このため、平歯車４２が回動すると、スライド部４３は、溝部４４ａに沿って左右方向（±Ｘ方向）に摺動する。
【００３５】
スライド部４３の支持棒４３ｂは、可動板３２に接続されている。可動板３２の裏面（−Ｚ側表面）の前方側（＋Ｙ側）端部には、支持棒４３ｂを接続するための第１接続部３２ａが設けられており、第１接続部３２ａには、前後方向（±Ｙ方向）に貫通する貫通孔３２ｂが形成されている。そして、支持棒４３ｂは、この貫通孔３２ｂに対して摺動可能に嵌挿されている。
【００３６】
投写距離設定部４５は、略Ｌ字型の設定操作部４５ａと、矢印状の指示部４５ｂとを備えている。設定操作部４５ａの一端は、筐体２の内部から上方（＋Ｚ方向）に突出し、筐体２の上面２ｔに形成された開口部１５から露出している。開口部１５は、前後方向（±Ｙ方向）に細長い形状になっており、筐体２の上面２ｔには、投写距離を表す複数の数値が開口部１５に沿って表記されている（図２参照）。本実施形態では、前方側（＋Ｙ側）から順に、「２ｍ」、「３ｍ」、「４ｍ」、「５ｍ」の４つの数値（投写距離）が表記されている。そして、指示部４５ｂは、これらの数値を指示すべく、開口部１５から露出する設定操作部４５ａの一端に固定されている。
【００３７】
設定操作部４５ａの他端は、筐体２の内部で右方向（−Ｘ方向）に向かって延出し、可動板３２に接続されている。可動板３２の裏面（−Ｚ側表面）の左側（＋Ｘ側）端部には、設定操作部４５ａを接続するための第２接続部３２ｃが設けられており、第２接続部３２ｃには、左右方向（±Ｘ方向）に貫通する貫通孔３２ｄが形成されている。そして、設定操作部４５ａは、この貫通孔３２ｄに対して摺動可能に嵌挿されている。
【００３８】
画面サイズ表示機構３０は、上記のように構成されているため、ユーザがズームリング１６２を回動させてズーム状態を調整すると、可動板３２は、ズームリング１６２の回動と連動して左右方向（±Ｘ方向）に移動する。また、ユーザが、開口部１５から露出する設定操作部４５ａを前後方向（±Ｙ方向）に動かすと、可動板３２は、この動作と連動して前後方向（±Ｙ方向）に移動する。
【００３９】
本実施形態では、ズームリング１６２のレバー１６２ａを、その可動範囲内で最も右側（−Ｘ側）の位置に移動させると、投写レンズ１６０のズーム状態はテレ端となり、投写画像の画面サイズは最も小さくなる。また、レバー１６２ａを最も左側（＋Ｘ側）に移動させると、ズーム状態はワイド端となり、投写画像の画面サイズは最も大きくなる。また、投写画像の画面サイズは、投写距離によっても変動し、投写距離が長くなるほど画面サイズは大きくなる。本実施形態では、ズーム状態がテレ端の場合、投写距離が２ｍ、３ｍ、４ｍ、５ｍと長くなるにつれて、画面サイズは、３０インチ、４５インチ、６０インチ、７５インチと変動し、ズーム状態がワイド端の場合には、投写距離が２ｍ、３ｍ、４ｍ、５ｍと長くなるにつれて、画面サイズは、５０インチ、７５インチ、１００インチ、１２５インチと変動する。また、レバー１６２ａが、その可動範囲内の中間位置にある場合には、投写距離が２ｍ、３ｍ、４ｍ、５ｍと長くなるにつれて、画面サイズは、４０インチ、６０インチ、８０インチ、１００インチと変動する。
【００４０】
可動板３２の上面には、前後方向（±Ｙ方向）に４行、左右方向（±Ｘ方向）に３列の合計１２の数値（画面サイズ）が表記されている。４つの行は、投写距離に対応するものであり、前方側（＋Ｙ側）から順に、投写距離が５ｍ、４ｍ、３ｍ、２ｍの場合の画面サイズを示している。また、各行に含まれる３つの数値は、ズーム状態に対応するものであり、左側（＋Ｘ側）から順に、テレ端、中間位置、ワイド端の場合の画面サイズを示している。
【００４１】
そして、これらの数値（画面サイズ）は、投写距離設定部４５で設定された投写距離、及びズームリング１６２の回動によって設定されたズーム状態に対応する画面サイズが、表示窓３１の直下に位置するように配列されている。このため、図４に示すように、指示部４５ｂが「２ｍ」（最も前方側（＋Ｙ側）の数値）を指し示すように投写距離設定部４５を設定し、ズーム状態を中間位置にした状態では、表示窓３１の直下には、投写距離が２ｍでズーム状態が中間位置の場合の画面サイズ（４０）が位置し、この数値が表示窓３１から拡大されて表示される。
【００４２】
また、例えば、図６に示すように、投写距離設定部４５を２ｍに設定したまま、ズームリング１６２のレバー１６２ａを右方向（−Ｘ方向）に操作し、ズーム状態をテレ端にすると、上方から見て傘歯車４１は時計回り、平歯車４２は反時計回りに回動し、スライド部４３及び可動板３２は、右方向（−Ｘ方向）に移動する。このとき、表示窓３１の直下には、投写距離が２ｍでズーム状態がテレ端の場合の画面サイズ（３０）が位置し、この数値が表示窓３１から拡大されて表示される。
【００４３】
また、図７に示すように、投写距離設定部４５を２ｍに設定したまま、ズームリング１６２のレバー１６２ａを左方向（＋Ｘ方向）に操作し、ズーム状態をワイド端にすると、上方から見て傘歯車４１は反時計回り、平歯車４２は時計回りに回動し、スライド部４３及び可動板３２は、左方向（＋Ｘ方向）に移動する。このとき、表示窓３１の直下には、投写距離が２ｍでズーム状態がテレ端の場合の画面サイズ（５０）が位置し、この数値が表示窓３１から拡大されて表示される。
【００４４】
さらに、例えば、図８に示すように、ズーム状態をワイド端としたまま、設定操作部４５ａを後方（−Ｙ方向）に移動させ、指示部４５ｂが「５ｍ」（最も後方側（−Ｙ側）の数値）を指し示すように投写距離設定部４５を設定すると、可動板３２は、後方（−Ｙ方向）に移動する。このとき、表示窓３１の直下には、投写距離が５ｍでズーム状態がワイド端の場合の画面サイズ（１２５）が位置し、この数値が表示窓３１から拡大されて表示される。
【００４５】
本実施形態のプロジェクタ１は、上記のように構成されているため、ユーザは、実際の投写距離に合わせて投写距離設定部４５を設定することにより、表示窓３１で画面サイズを確認しながらズーム調整を行うことが可能となる。また、レバー１６２ａや、投写距離設定部４５の設定操作部４５ａを操作して、表示窓３１に所望の画面サイズを表示させた後に、指示部４５ｂが指し示す投写距離に合わせてプロジェクタ１を設置するようにしてもよい。なお、可動板３２に所望の画面サイズが表記されていない場合であっても、表示される画面サイズを目安にすることで、所望の画面サイズに近づけることができる。また、画面サイズをより細かく調整できるように、可動板３２に表記されている数値（画面サイズ）に目盛りを付して、これを表示窓３１から視認できるようにしてもよい。
【００４６】
以上説明したように、本実施形態のプロジェクタ１によれば、以下の効果を得ることができる。
【００４７】
（１）本実施形態のプロジェクタ１によれば、現在のズーム状態に応じた画面サイズが表示窓３１に表示されるため、ユーザは、画面サイズを確認しながらズーム調整を行うことが可能となり、ズーム調整時の利便性が向上する。
【００４８】
（２）本実施形態のプロジェクタ１によれば、ズーム状態に応じた画面サイズが、筐体２の所定の位置（表示窓３１）に明示されるため、画面サイズを確認する際の視認性が向上する。
【００４９】
（３）本実施形態のプロジェクタ１によれば、投写距離を設定するための操作がなされる設定操作部４５ａを備え、可動板３２には、４つの投写距離（２ｍ、３ｍ、４ｍ、５ｍ）に対応する４組（４行）の画面サイズが表記されている。そして、画面サイズ表示機構３０は、設定操作部４５ａで設定された投写距離に対応する画面サイズを表示窓３１に表示するため、様々な投写距離に応じた画面サイズを表示することが可能となり、ズーム調整時の利便性がさらに向上する。
【００５０】
（４）本実施形態のプロジェクタ１によれば、可動板３２には、４行３列のマトリクス状に画面サイズが配列されており、画面サイズ表示機構３０は、ズーム調整がなされると、行方向である前後方向（±Ｙ方向）に可動板３２を移動させ、投写距離の設定操作がなされると、列方向である左右方向（±Ｘ方向）に可動板３２を移動させる。このため、現在のズーム状態に対応する画面サイズを、簡単な構成で表示窓３１の直下に位置させることが可能となる。
【００５１】
（５）本実施形態のプロジェクタ１によれば、表示窓３１にレンズ３１ａが備えられており、表示窓３１の直下に位置する数値（画面サイズ）がレンズ３１ａを通して拡大して表示されるため、画面サイズを確認する際の利便性がさらに向上する。
【００５２】
なお、上記実施形態では、ズーム操作を行うためのズームリング１６２及びそのレバー１６２ａがズーム操作部に相当し、ズーム操作及び投写距離の設定操作と連動して光学部品用筐体１７０に対する相対位置、即ち筐体２に対する相対位置が変化する可動板３２が可動部に相当する。また、ズーム状態や投写距離に対応する画面サイズを表示窓３１に表示する画面サイズ表示機構３０が画面サイズ報知部に相当する。
【００５３】
（変形例）
また、上記実施形態は、以下のように変更してもよい。
【００５４】
上記実施形態では、ズームリング１６２のレバー１６２ａを操作してズーム状態を調整する態様を示したが、この態様に限定されない。例えば、図９（ａ）、（ｂ）に示すように、軸４７を中心にして平歯車４２と一体的に回動するダイアル部５０を設けるとともに、これを筐体２の上面２ｔから露出させるようにしてもよい。この場合には、ダイアル部５０を回動させることによって、平歯車４２及び傘歯車４１を介してズームリング１６２が回動し、ズーム調整がなされるとともに、平歯車４２及びスライド部４３を介して可動板３２が移動し、対応する画面サイズが表示窓３１から表示される。なお、図９に示したように、レバー１６２ａ及びダイアル部５０の双方でズーム調整が可能な構成にしてもよいし、レンズ操作口１３からズームリング１６２を露出させずに、ダイアル部５０のみでズーム調整が可能な構成にしてもよい。
【００５５】
上記実施形態では、可動板３２に４行３列の１２個の画面サイズが表記されているが、可動板３２に表記すべき画面サイズの数（行数及び列数）はこれに限定されない。ただし、行数（投写距離の数）及び列数（ズーム状態の数）が多いほど画面サイズをより細かく調整することが可能となる。
【００５６】
上記実施形態では、ズーム操作と連動して可動板３２が左右方向（±Ｘ方向）に動き、投写距離の設定操作と連動して可動板３２が前後方向（±Ｙ方向）に動く構成を示しているが、可動板３２の移動方向はこれに限定されず、互いに逆の動きをするようにしてもよい。また、可動板３２の代わりに、投写レンズ１６０を囲う円筒状の部材を用い、ズームリング１６２の回動と連動してこの部材を回動させるとともに、投写距離の設定操作に連動してこの部材を前後方向に移動させる構成にすることも可能である。
【００５７】
上記実施形態では、投写距離設定部４５によって可動板３２を手動で前後方向に動かす構成を示したが、投写距離に応じて最適なフォーカス状態が定まることから、フォーカスリング１６１の回動と連動して可動板３２が動く構成にしてもよい。
【００５８】
上記実施形態では、光変調装置として３つの液晶パネル１５１を用いた３板式のプロジェクタ１について説明したが、光変調装置の態様は、これに限定されない。例えば、各画素の中にそれぞれＲ光、Ｇ光、Ｂ光を透過可能なサブ画素を含んだ１つの液晶パネルによって画像を形成する態様とすることも可能である。
【００５９】
上記実施形態では、光変調装置として、透過型の液晶パネル１５１を用いているが、反射型の液晶ライトバルブ等、反射型の光変調装置を用いることも可能である。また、入射した光の射出方向を、画素としてのマイクロミラー毎に制御することにより、光源装置１１０から射出した光を変調する微小ミラーアレイデバイス等を用いることもできる。
【００６０】
上記実施形態では、光源装置１１０は、放電型の光源ランプ１１１によって構成されているが、ＬＥＤ光源等の固体光源や、その他の光源を用いることもできる。
【図面の簡単な説明】
【００６１】
【図１】プロジェクタを示す斜視図。
【図２】プロジェクタを示す平面図。
【図３】光学ユニットの概略構成を示す構成図。
【図４】筐体の内部を示す部分断面図であり、（ａ）は上方から見た図、（ｂ）は側方から見た図。
【図５】画面サイズ表示機構の一部を示す斜視図
【図６】筐体の内部を示す部分断面図であり、（ａ）は上方から見た図、（ｂ）は側方から見た図。
【図７】筐体の内部を示す部分断面図であり、（ａ）は上方から見た図、（ｂ）は側方から見た図。
【図８】筐体の内部を示す部分断面図であり、（ａ）は上方から見た図、（ｂ）は側方から見た図。
【図９】変形例に係るプロジェクタを示す図であり、（ａ）は平面図、（ｂ）は側断面図。
【符号の説明】
【００６２】
１…プロジェクタ、２…筐体、１１…操作パネル、３０…画面サイズ表示機構、３１…表示窓、３１ａ…レンズ、３２…可動板、３３…可動板移動機構、４１…傘歯車、４２…平歯車、４３…スライド部、４４…スライド支持部、４５…投写距離設定部、４５ａ…設定操作部、４５ｂ…指示部、１００…光学ユニット、１１０…光源装置、１２０…インテグレータ光学系、１３０…色光分離光学系、１４０…リレー光学系、１５０…画像形成装置、１５１…液晶パネル、１５２…入射側偏光板、１５３…射出側偏光板、１５４…クロスダイクロイックプリズム、１６０…投写レンズ、１６１…フォーカスリング、１６１ａ…レバー、１６２…ズームリング、１６２ａ…レバー、１７０…光学部品用筐体。
【図１】
2009216854.tif 000003
【図２】
2009216854.tif 000004
【図３】
2009216854.tif 000005
【図４】
2009216854.tif 000006
【図５】
2009216854.tif 000007
【図６】
2009216854.tif 000008
【図７】
2009216854.tif 000009
【図８】
2009216854.tif 000010
【図９】
2009216854.tif 000011